【手続補正書】
【提出日】令和1年8月16日(2019.8.16)
【手続補正１】
【補正対象書類名】明細書
【補正対象項目名】０１２８
【補正方法】変更
【補正の内容】
【０１２８】
様々な実施例を説明してきた。これらの及び他の実施例は、以下の特許請求の範囲内である。
（付記）
（付記１）
コンピューティングデバイスによって、記号セットから特定の記号を選択することと、
前記コンピューティングデバイスによって、前記特定の記号の第１の空間的外観を、前記記号セットの別の記号の第２の空間的外観と比較することであって、前記第１の空間的外観及び前記第２の空間的外観は特定の照明条件に基いている、ことと、
少なくとも一部前記比較することに基づいて、前記第１の空間的外観と前記第２の空間的外観との間の相違度が第１の閾値を満たすことを判定したことに応じて、前記特定の記号内の複数の位置から、活性エンコード領域を埋め込んだときに第２の閾値を満たすように前記特定の記号の更新された空間的外観と少なくとも前記第２の空間的外観との間の前記相違度を増大する特定の位置を識別することと、
前記記号を修正して、前記特定の位置に前記特定の記号に埋め込まれた前記活性エンコード領域を表すデータを記憶することと、
前記コンピューティングデバイスによって、前記記号セットを更新して、前記活性エンコード領域を表す前記データを含む前記特定の記号を含めることと、を含む、方法。
（付記２）
情報を指定するユーザ入力を受け取ることと、
少なくとも一部前記ユーザ入力に基づいて、前記少なくとも１つの活性エンコード領域を有する前記特定の記号を含む印刷仕様を生成することであって、前記印刷仕様は、光学活性物品内に含めるように前記記号セットの１つ以上の記号のセットを指定する、ことと、
少なくとも一部前記印刷仕様に基づいて、前記特定の記号を有する前記光学活性物品を構築することと、を更に含む、付記１に記載の方法。
（付記３）
前記特定の記号を有する前記光学活性物品を構築することは、
視覚的に不透明で赤外透過性のインクで前記特定の記号の前記活性エンコード領域を印刷して、視覚的に不透明で赤外不透明なインクで前記活性エンコード領域を除く前記特定の記号の残りのエリアを印刷することを含む、付記２に記載の方法。
（付記４）
前記光学活性物品を製造することは、
視覚的に不透明で赤外不透明なインクで前記特定の記号の前記活性エンコード領域を印刷して、視覚的に不透明で赤外透過性のインクで前記活性エンコード領域を除く前記特定の記号の残りのエリアを印刷することを含む、付記２に記載の方法。
（付記５）
前記特定の位置は、第１の位置であり、前記更新された空間的外観は、第１の更新された空間的外観であり、前記方法は、
前記特定の記号内の複数の位置から、活性エンコード領域を埋め込んだときに前記特定の記号の第２の更新された空間的外観と少なくとも前記第２の空間的外観との間の前記相違度を前記第１の更新された空間的外観と少なくとも前記第２の空間的外観との間の類似度未満だけ増大する第２の位置を識別することと、
前記記号を修正して、前記第２の位置に前記特定の記号に埋め込まれた前記活性エンコード領域を表すデータを記憶することを控えることと、を更に含む、付記１に記載の方法。
（付記６）
前記特定の位置は、第１の位置であり、前記更新された空間的外観は、第１の更新された空間的外観であり、前記方法は、
前記コンピューティングデバイスによって、前記特定の記号の前記第１の更新された空間的外観を、前記記号セットの前記別の記号の前記第２の空間的外観と比較することであって、前記第１の更新された空間的外観及び前記第２の空間的外観は、特定の照明条件に基づいている、ことと、  少なくとも一部前記比較することに基づいて、前記第１の更新された空間的外観と前記第２の空間的外観との間の相違度が第１の閾値を満たすことを判定したことに応じて、前記特定の記号内の前記複数の位置から、活性エンコード領域を埋め込んだときに前記第２の閾値を満たすように前記特定の記号の第２の更新された空間的外観と少なくとも前記第２の空間的外観との間の前記相違度を増大する第２の特定の位置を識別することと、
前記記号を修正して、前記特定の位置に前記特定の記号に埋め込まれた前記活性エンコード領域を表すデータを記憶することと、
前記コンピューティングデバイスによって、前記記号セットを更新して、前記活性エンコード領域を表す前記データを含む前記特定の記号を含めることと、を更に含む、付記１に記載の方法。
（付記７）
前記相違度は、前記特定の記号と前記別の記号との間の対の差を含む、付記１に記載の方法。
（付記８）
前記第２の閾値は、相違度の範囲内の最大相違度である、付記１に記載の方法。
（付記９）
前記第２の閾値は、相違度の範囲内の最大相違度の少なくとも８０％以上の相違度である、付記１に記載の方法。
（付記１０）
前記特定の記号内の前記複数の位置から、前記第２の閾値を満たすように前記特定の記号の前記更新された空間的外観と少なくとも前記第２の空間的外観との間の前記相違度を増大する前記特定の位置を識別することは、
前記特定の記号内の前記複数の位置から、前記第２の閾値を満たすように前記特定の記号の前記更新された空間的外観と前記記号セットのすべての記号との間の前記相違度を増大する前記特定の位置を識別することを更に含む、付記１に記載の方法。
（付記１１）
前記照明条件は、可視光又は赤外光のうちの少なくとも１つである、付記１に記載の方法。
（付記１２）
前記第１及び第２の閾値は、ハードコードされた値、ユーザが定義した値、又は機械で生成された値のうちの少なくとも１つである、付記１に記載の方法。
（付記１３）
前記第２の空間的外観が前記第１の閾値を満たすことは、前記第２の空間的外観が前記第１の閾値以下であることを含み、
前記第２の閾値を満たす前記相違度は、前記第２の閾値以上である前記相違度を含む、付記１に記載の方法。
（付記１４）
前記１つ以上のエンコード領域の１つ以上の活性エンコード領域を表す画素値の第１のセットは、画素値の第１の範囲内であり、
前記１つ以上の活性エンコード領域を除く前記少なくとも１つの記号の残部を表す画素値の第２のセットは、前記画素値の第１の範囲とは異なる画素値の第２の範囲内である、付記１に記載の方法。
（付記１５）
前記画像は、第１の画像であり、前記光学活性物品の前記第１の画像は、近赤外スペクトル内の第１のスペクトル範囲内で取込まれ、
前記光学活性物品の第２の画像は、可視スペクトル内の第２のスペクトル範囲内で取込まれ、
前記第２の画像内の前記少なくとも１つの記号を表す画素値の第３のセットは、前記画素値の第２の範囲内であり、前記少なくとも１つの記号を表す前記画素値の第３のセットの第１の割合は、前記少なくとも１つの記号を表す前記画素値の第２のセットの第２の割合より大きい、付記１４に記載の方法。
（付記１６）
１つ以上のコンピュータプロセッサと、
命令を含むメモリと、を備えるコンピューティングデバイスであって、前記命令は、前記１つ以上のコンピュータプロセッサによって実行されると、前記１つ以上のコンピュータプロセッサに付記１〜１５のいずれか一項に記載の方法を実行させる、コンピューティングデバイス。
（付記１７）
実行されるとコンピューティングデバイスの少なくとも１つのプロセッサに付記１〜１５のいずれか一項に記載の方法を実行させる命令をエンコードした、非一時的なコンピュータ可読記憶媒体。
（付記１８）
付記１〜１５のいずれか一項に記載の方法を実行するための手段を備える装置。
（付記１９）
コンピューティングデバイスによって、画像取込みデバイスから、記号セットの１つ以上の記号のセットを含む光学活性物品の画像を受信することであって、前記画像内に表される前記１つ以上の記号のセットの少なくとも１つの記号は、前記記号内に埋め込まれた１つ以上の活性エンコード領域のセットを含む、ことと、
前記少なくとも１つの記号を含む前記画像の特定の画像領域に光学式文字認識を実行して、前記コンピューティングデバイスによって、少なくとも一部、前記１つ以上の活性エンコード領域のセットに基づいて、前記特定の画像領域が前記少なくとも１つの記号を表すことを判定することであって、前記少なくとも１つの記号内の前記１つ以上の活性エンコード領域のセットの配置が既定閾値を満たす前記少なくとも１つの記号と前記記号セット内の別の記号との間の文字相違度を提供する、ことと、
前記コンピューティングデバイスによって、少なくとも一部、前記特定の画像領域が前記少なくとも１つの記号を表すことを判定したことに基づいて、１つ以上の動作を実行することと、を含む、方法。
（付記２０）
前記特定の記号の前記活性エンコード領域は、視覚的に不透明で赤外透過性のインクで印刷され、前記活性エンコード領域を除く前記特定の記号の残りのエリアは、視覚的に不透明で赤外不透明なインクで印刷された、付記１９に記載の方法。
（付記２１）
前記特定の記号の前記活性エンコード領域は、視覚的に不透明で赤外不透明なインクで印刷され、前記活性エンコード領域を除く前記特定の記号の残りのエリアは、視覚的に不透明で赤外透過性のインクで印刷された、付記１９に記載の方法。
（付記２２）
前記１つ以上のエンコード領域の１つ以上の活性エンコード領域を表す画素値の第１のセットは、画素値の第１の範囲内であり、
前記１つ以上の活性エンコード領域を除く前記少なくとも１つの記号の残部を表す画素値の第２のセットは、前記画素値の第１の範囲とは異なる画素値の第２の範囲内である、付記１９に記載の方法。
（付記２３）
前記画像は、第１の画像であり、前記光学活性物品の前記第１の画像は、近赤外スペクトル内の第１のスペクトル範囲内で取込まれ、
前記光学活性物品の第２の画像は、可視スペクトル内の第２のスペクトル範囲内で取込まれ、
前記第２の画像内の前記少なくとも１つの記号を表す画素値の第３のセットは、前記画素値の第２の範囲内であり、前記少なくとも１つの記号を表す前記画素値の第３のセットの第１の割合は、前記少なくとも１つの記号を表す前記画素値の第２のセットの第２の割合より大きい、付記２２に記載の方法。
（付記２４）
前記画像は、近赤外スペクトル内の照明条件下で取込まれる、付記１９に記載の方法。
（付記２５）
少なくとも１つの記号は、３５０〜７５０ｎｍの波長を含む第１のスペクトル範囲内で人間が読み取れる情報を表す、付記１９に記載の方法。
（付記２６）
前記１つ以上の活性エンコード領域は、間隙、又は、文字、グリフ、若しくは数字のうちの少なくとも１つである記号のうちの少なくとも１つを含む、付記１９に記載の方法。
（付記２７）
１つ以上のコンピュータプロセッサと、
命令を含むメモリと、を備えるコンピューティングデバイスであって、前記命令は、前記１つ以上のコンピュータプロセッサによって実行されると、前記１つ以上のコンピュータプロセッサに付記１９〜２６のいずれか一項に記載の方法を実行させる、コンピューティングデバイス。
（付記２８）
実行されるとコンピューティングデバイスの少なくとも１つのプロセッサに付記１９〜２６のいずれか一項に記載の方法を実行させる命令をエンコードした、非一時的なコンピュータ可読記憶媒体。
（付記２９）
付記１９〜２６のいずれか一項に記載の方法を実行するための手段を備える装置。
（付記３０）
再帰反射基材と、
前記再帰反射基材上に配置された１つ以上の記号のセットと、を備える再帰反射性物品であって、前記１つ以上の記号のセットの前記少なくとも１つの記号内の１つ以上の所定の位置の１つ以上の活性エンコード領域のセットの配置は、前記１つ以上の所定の位置の前記１つ以上の活性エンコード領域のセットの前記配置に基づく既定閾値を満たす、前記少なくとも１つの記号と前記セット内の別の記号との間の文字相違度を提供する、再帰反射性物品。
（付記３１）
視覚的に不透明で赤外透過性のインクが、前記１つ以上の活性エンコード領域のセットに配置され、視覚的に不透明で赤外不透明なインクが、前記１つ以上の活性エンコード領域のセットを除く前記特定の記号の残りのエリア上に配置された、付記３０に記載の再帰反射性物品。
（付記３２）
視覚的に不透明で赤外不透明なインクが、前記１つ以上の活性エンコード領域のセットに配置され、視覚的に不透明で赤外透過性のインクが、前記１つ以上の活性エンコード領域のセットを除く前記特定の記号の残りのエリア上に配置された、付記３０に記載の再帰反射性物品。
（付記３３）
再帰反射基材と、
前記再帰反射基材上に配置された人間が読み取れる情報と、
前記再帰反射基材上の人間が読み取れる情報の周辺部内に配置された少なくとも１つの埋め込みマーカを含む機械可読情報と、を備える再帰反射性物品であって、
前記機械可読情報は、前記人間が読み取れる情報に対応する、再帰反射性物品。
（付記３４）
前記埋め込みマーカは、間隙又は不連続部分を含む、付記３３に記載の再帰反射性物品。
（付記３５）
前記人間が読み取れる情報は、第１の条件下で検出可能であり、前記機械可読情報は、前記第１の条件とは異なる第２の条件下で検出可能である、付記３３又は３４に記載の再帰反射性物品。
（付記３６）
前記第１の条件は、第１のスペクトル範囲又は第１の照明条件のうちの１つであり、前記第２の条件は、第２のスペクトル範囲又は第２の照明条件のうちの１つである、付記３５に記載の再帰反射性物品。
（付記３７）
前記第１のスペクトル条件は、約３５０〜約７５０ｎｍの波長であり、前記第２のスペクトル条件は、約７６０ｎｍより大きな波長である、付記３６に記載の再帰反射性物品。
（付記３８）
前記埋め込みマーカは、前記人間が読み取れる情報に対して所定の位置にある、付記３３〜３７のいずれか一項に記載の再帰反射性物品。
（付記３９）
前記再帰反射基材は、プリズム形再帰反射シート又はビード再帰反射シートのうちの１つである、付記３０〜３８のいずれか一項に記載の再帰反射性物品。
（付記４０）
前記再帰反射性物品は、標識、ライセンスプレート、及び文書のうちの１つである、付記３０〜３９のいずれか一項に記載の再帰反射性物品。
（付記４１）
前記再帰反射性物品の少なくとも１つの縁部に平行な垂直セグメント、前記再帰反射性物品の少なくとも１つの縁部に平行な水平セグメント、及びマーカ間の所定のスペースのうちの少なくとも１つを含む位置合わせマーカを更に備える、付記３０〜４０のいずれか一項に記載の再帰反射性物品。
（付記４２）
前記位置合わせマーカは、可視スペクトル内で検出可能でない、付記４１に記載の再帰反射性物品。
（付記４３）
前記位置合わせマーカは、近赤外スペクトル内で検出可能である、付記４１又は４２に記載の再帰反射性物品。
（付記４４）
前記埋め込みマーカは、記号の外形、ドット、三角形、及び正方形のうちの少なくとも１つを含む、付記３３〜４３のいずれか一項に記載の再帰反射性物品。
（付記４５）
前記埋め込みマーカは、前記埋め込みマーカ以外の前記機械可読情報の部分に対して所定の位置にある、付記３３〜４４のいずれか一項に記載の再帰反射性物品。
（付記４６）
前記機械可読情報は、埋め込まれた機械可読情報である、付記３３〜４５のいずれか一項に記載の再帰反射性物品。
（付記４７）
前記機械可読情報は、人間が読み取れるものではない、付記３３〜４６のいずれか一項に記載の再帰反射性物品。
（付記４８）
再帰反射基材と、
前記再帰反射基材上に配置された人間が読み取れる情報と、
組み合わせて前記人間が読み取れる情報に対応する間隙及び中実部分を含む少なくとも１つの埋め込みマーカを含む埋め込まれた機械可読情報と、を備える、再帰反射性物品。
（付記４９）
前記人間が読み取れる情報は、第１の文字及び第２の文字を含み、前記第１の文字は、前記第２の文字に視覚的に接続された、付記４８に記載の再帰反射性物品。
（付記５０）
前記埋め込みマーカは、文字区分に役立つ、付記４８又は４９に記載の再帰反射性物品。
（付記５１）
前記人間が読み取れる情報は、第１の条件下で検出可能であり、前記機械可読情報は、前記第１の条件とは異なる第２の条件下で検出可能である、付記４８〜５０のいずれか一項に記載の再帰反射性物品。
（付記５２）
前記第１の条件は、可視スペクトル内の第１の波長であり、前記第２の条件は、近赤外スペクトル内の第２の波長である、付記５１に記載の再帰反射性物品。
（付記５３）
人間が読み取れる情報、及び少なくとも１つの埋め込みマーカを含む埋め込まれた機械可読情報を含む再帰反射基材を準備することと、
前記機械可読情報を検出することと、
光学式文字認識エンジンによって前記機械可読情報を読み取ることと、を含む光学式文字認識プロセスであって、
前記機械可読情報は、前記人間が読み取れる情報に対応する、プロセス。
（付記５４）
前記埋め込みマーカは、少なくとも１つの間隙及び少なくとも１つの中実部分を含む、付記５３に記載のプロセス。
（付記５５）
前記再帰反射基材は、プリズム形シート又はビードシートのうちの１つである、付記５３に記載のプロセス。
（付記５６）
物品を読み取るためのシステムであって、
人間が読み取れる情報、並びに少なくとも１つの間隙及び少なくとも１つの中実部分を含む機械可読情報を含む再帰反射性物品と、
前記再帰反射性物品の画像を検出して生成する光検出器と、
前記画像を前処理し、前記画像上の前記再帰反射性物品の位置を特定して正規化し、かつ前記再帰反射性物品上の前記機械可読情報を発見するプロセッサと、
前記機械可読情報を前記人間が読み取れる情報に関連付ける光学式文字認識（ＯＣＲ）エンジンと、を備える、システム。
（付記５７）
再帰反射性物品の製造方法であって、
再帰反射基材を準備することと、
人間が読み取れる情報を周辺部を有するようにして前記再帰反射基材上に適用することと、
埋め込みマーカ及び中実部分を含む機械可読情報を適用することと、を含み、前記機械可読情報は、前記再帰反射基材上に配置され、前記人間が読み取れる情報の前記周辺部内に含まれた、方法。
（付記５８）
人間が読み取れる情報を適用する前記ステップ、及び機械可読情報を適用する前記ステップのうちの少なくとも１つは、印刷を含む、付記５７に記載の方法。
（付記５９）
前記機械可読情報を適用することは、前記中実部分を印刷することを含む、付記５７又は５８に記載の方法。
（付記６０）
光学活性物品の製造方法であって、
情報を指定するユーザ入力を受け入れることと、
少なくとも一部前記ユーザ入力に基づいて、１つ以上の記号のセットを指定して光学活性物品内に含める、１つ以上の活性エンコード領域を有する特定の記号を含む印刷仕様を生成することであって、前記特定の記号内に埋め込まれた前記１つ以上の活性エンコード領域は、１つ以上の所定の位置の前記１つ以上の活性エンコード領域の配置に基づく既定閾値を満たす、前記特定の記号の第１の空間的外観と第２の記号の少なくとも第２の空間的外観との間の相違度を提供する、生成することと、
少なくとも一部前記印刷仕様に基づいて、前記特定の記号を有する前記光学活性物品を構築することと、を含む、方法。
（付記６１）
前記特定の記号を有する前記光学活性物品を構築することは、
視覚的に不透明で赤外透過性のインクで前記特定の記号の前記１つ以上の活性エンコード領域を印刷して、視覚的に不透明で赤外不透明なインクで前記１つ以上の活性エンコード領域を除く前記特定の記号の残りのエリアを印刷することを含む、付記６０に記載の方法。
（付記６２）
前記光学活性物品を製造することは、
視覚的に不透明で赤外不透明なインクで前記特定の記号の前記１つ以上の活性エンコード領域を印刷して、視覚的に不透明で赤外透過性のインクで前記１つ以上の活性エンコード領域を除く前記特定の記号の残りのエリアを印刷することを含む、付記６０に記載の方法。
（付記６３）
前記閾値は、相違度の範囲内の最大相違度である、付記６０に記載の方法。
（付記６４）
前記第２の閾値は、相違度の範囲内の最大相違度の少なくとも８０％以上の相違度である、付記６０に記載の方法。
（付記６５）
前記第２の閾値は、ハードコードされた値、ユーザが定義した値、又は機械で生成された値のうちの少なくとも１つである、付記６０に記載の方法。
（付記６６）
１つ以上のエンコード領域の前記１つ以上の活性エンコード領域を表す画素値の第１のセットは、画素値の第１の範囲内であり、
前記１つ以上の活性エンコード領域を除く前記少なくとも１つの記号の残部を表す画素値の第２のセットは、前記画素値の第１の範囲とは異なる画素値の第２の範囲内である、付記６０に記載の方法。
（付記６７）
１つ以上のコンピュータプロセッサと、
命令を含むメモリと、を備えるコンピューティングデバイスであって、前記命令は、前記１つ以上のコンピュータプロセッサによって実行されると、前記１つ以上のコンピュータプロセッサに付記６０〜６６のいずれか一項に記載の方法を実行させる、コンピューティングデバイス。
（付記６８）
実行されるとコンピューティングデバイスの少なくとも１つのプロセッサに付記６０〜６６のいずれか一項に記載の方法を実行させる命令をエンコードした、非一時的なコンピュータ可読記憶媒体。
（付記６９）
付記６０〜６６のいずれか一項に記載の方法を実行するための手段を備える装置。
（付記７０）
前記特定の記号及び前記別の記号は、可視光スペクトル内で接続されて見える、付記１に記載の方法。
（付記７１）
前記特定の記号及び前記別の記号のうちの少なくとも１つは、間隙又は中実部分を含む少なくとも１つの埋め込みマーカを含み、前記埋め込みマーカは、文字区分に役立つ、付記７０に記載の方法。
【手続補正２】
【補正対象書類名】特許請求の範囲
【補正対象項目名】全文
【補正方法】変更
【補正の内容】
【特許請求の範囲】
【請求項１】
コンピューティングデバイスによって、画像取込みデバイスから、記号セットの１つ以上の記号のセットを含む光学活性物品の画像を受信することであって、前記画像内に表される前記１つ以上の記号のセットの少なくとも１つの記号は、前記記号内に埋め込まれた１つ以上の活性エンコード領域のセットを含む、ことと、
前記少なくとも１つの記号を含む前記画像の特定の画像領域に光学式文字認識を実行して、前記コンピューティングデバイスによって、少なくとも一部、前記１つ以上の活性エンコード領域のセットに基づいて、前記特定の画像領域が前記少なくとも１つの記号を表すことを判定することであって、前記少なくとも１つの記号内の前記１つ以上の活性エンコード領域のセットの配置が既定閾値を満たす前記少なくとも１つの記号と前記記号セット内の別の記号との間の文字相違度を提供する、ことと、
前記コンピューティングデバイスによって、少なくとも一部、前記特定の画像領域が前記少なくとも１つの記号を表すことを判定したことに基づいて、１つ以上の動作を実行することと、を含む、方法。
【請求項２】
前記特定の記号の前記活性エンコード領域は、視覚的に不透明で赤外透過性のインクで印刷され、前記活性エンコード領域を除く前記特定の記号の残りのエリアは、視覚的に不透明で赤外不透明なインクで印刷された、請求項１に記載の方法。
【請求項３】
前記特定の記号の前記活性エンコード領域は、視覚的に不透明で赤外不透明なインクで印刷され、前記活性エンコード領域を除く前記特定の記号の残りのエリアは、視覚的に不透明で赤外透過性のインクで印刷された、請求項１に記載の方法。
【請求項４】
前記１つ以上のエンコード領域の１つ以上の活性エンコード領域を表す画素値の第１のセットは、画素値の第１の範囲内であり、
前記１つ以上の活性エンコード領域を除く前記少なくとも１つの記号の残部を表す画素値の第２のセットは、前記画素値の第１の範囲とは異なる画素値の第２の範囲内である、請求項１に記載の方法。
【請求項５】
前記画像は、第１の画像であり、前記光学活性物品の前記第１の画像は、近赤外スペクトル内の第１のスペクトル範囲内で取込まれ、
前記光学活性物品の第２の画像は、可視スペクトル内の第２のスペクトル範囲内で取込まれ、
前記第２の画像内の前記少なくとも１つの記号を表す画素値の第３のセットは、前記画素値の第２の範囲内であり、前記少なくとも１つの記号を表す前記画素値の第３のセットの第１の割合は、前記少なくとも１つの記号を表す前記画素値の第２のセットの第２の割合より大きい、請求項４に記載の方法。
【請求項６】
前記画像は、近赤外スペクトル内の照明条件下で取込まれる、請求項１に記載の方法。
【請求項７】
少なくとも１つの記号は、３５０〜７５０ｎｍの波長を含む第１のスペクトル範囲内で人間が読み取れる情報を表す、請求項１に記載の方法。
【請求項８】
再帰反射基材と、
前記再帰反射基材上に配置された１つ以上の記号のセットと、を備える再帰反射性物品であって、前記１つ以上の記号のセットの前記少なくとも１つの記号内の１つ以上の所定の位置の１つ以上の活性エンコード領域のセットの配置は、前記１つ以上の所定の位置の前記１つ以上の活性エンコード領域のセットの前記配置に基づく既定閾値を満たす、前記少なくとも１つの記号と前記セット内の別の記号との間の文字相違度を提供する、再帰反射性物品。
【請求項９】
視覚的に不透明で赤外透過性のインクが、前記１つ以上の活性エンコード領域のセットに配置され、視覚的に不透明で赤外不透明なインクが、前記１つ以上の活性エンコード領域のセットを除く前記特定の記号の残りのエリア上に配置された、請求項８に記載の再帰反射性物品。
【請求項１０】
視覚的に不透明で赤外不透明なインクが、前記１つ以上の活性エンコード領域のセットに配置され、視覚的に不透明で赤外透過性のインクが、前記１つ以上の活性エンコード領域のセットを除く前記特定の記号の残りのエリア上に配置された、請求項８に記載の再帰反射性物品。
【請求項１１】
光学活性物品の製造方法であって、
情報を指定するユーザ入力を受け入れることと、
少なくとも一部前記ユーザ入力に基づいて、１つ以上の記号のセットを指定して光学活性物品内に含める、１つ以上の活性エンコード領域を有する特定の記号を含む印刷仕様を生成することであって、前記特定の記号内に埋め込まれた前記１つ以上の活性エンコード領域は、１つ以上の所定の位置の前記１つ以上の活性エンコード領域の配置に基づく既定閾値を満たす、前記特定の記号の第１の空間的外観と第２の記号の少なくとも第２の空間的外観との間の相違度を提供する、生成することと、
少なくとも一部前記印刷仕様に基づいて、前記特定の記号を有する前記光学活性物品を構築することと、を含む、方法。
【請求項１２】
前記特定の記号を有する前記光学活性物品を構築することは、
視覚的に不透明で赤外透過性のインクで前記特定の記号の前記１つ以上の活性エンコード領域を印刷して、視覚的に不透明で赤外不透明なインクで前記１つ以上の活性エンコード領域を除く前記特定の記号の残りのエリアを印刷することを含む、請求項１１に記載の方法。
【請求項１３】
前記光学活性物品を製造することは、
視覚的に不透明で赤外不透明なインクで前記特定の記号の前記１つ以上の活性エンコード領域を印刷して、視覚的に不透明で赤外透過性のインクで前記１つ以上の活性エンコード領域を除く前記特定の記号の残りのエリアを印刷することを含む、請求項１１に記載の方法。
【請求項１４】
前記閾値は、相違度の範囲内の最大相違度である、請求項１１に記載の方法。
【請求項１５】
前記第２の閾値は、相違度の範囲内の最大相違度の少なくとも８０％以上の相違度である、請求項１１に記載の方法。
【請求項１６】
前記第２の閾値は、ハードコードされた値、ユーザが定義した値、又は機械で生成された値のうちの少なくとも１つである、請求項１１に記載の方法。
【請求項１７】
１つ以上のエンコード領域の前記１つ以上の活性エンコード領域を表す画素値の第１のセットは、画素値の第１の範囲内であり、
前記１つ以上の活性エンコード領域を除く前記少なくとも１つの記号の残部を表す画素値の第２のセットは、前記画素値の第１の範囲とは異なる画素値の第２の範囲内である、請求項１１に記載の方法。